(57)【要約】  【課題】複数の表示部を効果的に使って従来よりも面白みのある表示ができる携帯端末装置を提供しコンテンツ等の表現の幅を広げて顧客の購買意欲を高める。  【解決手段】開状態及び閉状態の２つの状態を有する携帯端末装置であって、少なくとも閉状態において外部から見える位置に配置されている第１表示部１３と、閉状態において外部から見えず開状態において外部から見える位置に配置されている第２表示部１４と、閉状態において第１表示部に表示位置が時間とともに変化する第１画像を表示させる第１表示制御部１５と、第１表示制御部による第１画像の表示中に閉状態から開状態へ状態が変化したことを感知する感知部１６と、状態が変化したことが感知されたときの第１画像の表示位置を示す位置情報を取得する取得部１７と、開状態において第２表示部に第１画像に対応する第２画像を取得された位置情報に基づいて表示させる第２表示制御部１８とを備える。  【選択図】  図２
2005253016.tif 000002
【特許請求の範囲】
【請求項１】
開状態、及び閉状態の２つの状態を有する携帯端末装置であって、
少なくとも閉状態において、外部から見える位置に配置されている第１表示部と、
閉状態において外部から見えず、開状態において外部から見える位置に配置されている第２表示部と、
閉状態において、第１表示部に、表示位置が時間とともに変化する第１画像を表示させる第１表示制御手段と、
第１表示制御手段による第１画像の表示中に、閉状態から開状態へ状態が変化したことを感知する感知手段と、
感知手段により状態が変化したことが感知されたときの第１画像の表示位置を示す位置情報を取得する取得手段と、
開状態において、第２表示部に、第１画像に対応する第２画像を、取得手段により取得された位置情報に基づいて表示させる第２表示制御手段と
を備えることを特徴とする携帯端末装置。
【請求項２】
前記第２表示部は、
第１表示部の裏側にあたる位置に配置されており、
前記第２表示制御手段は、
前記第２画像を、開状態における第１画像の表示位置の裏側に相当する位置に表示させること
を特徴とする請求項１に記載の携帯端末装置。
【請求項３】
第１画像は、特定物を表から見た画像であり、
第２画像は、前記特定物を裏から見た画像であること
を特徴とする請求項２に記載の携帯端末装置。
【請求項４】
前記第１表示制御手段は、さらに、
表示位置が変化しない第１基本画像に、前記第１画像を重ねて表示させ、
前記第２表示制御手段は、さらに、
表示位置が変化せず、かつ第１基本画像に対応する第２基本画像に、前記第２画像を重ねて表示させること
を特徴とする請求項２に記載の携帯端末装置。
【請求項５】
第１基本画像は、特定物を表から見た画像であり、
第２基本画像は、前記特定物を裏から見た画像であること
を特徴とする請求項４に記載の携帯端末装置。
【請求項６】
前記第２表示部は、
第１表示部の裏側にあたる位置に配置されており、
前記第２表示制御手段は、
前記第２画像を、開状態における第１画像の表示位置の裏側に相当する位置から変化させること
を特徴とする請求項１に記載の携帯端末装置。
【請求項７】
前記第２表示部は、
第１表示部よりも表示面積が小さく、かつ第１表示部の裏側にあたる位置に配置されており、
前記第１表示制御手段は、さらに、
表示位置が変化しない第１基本画像に、前記第１画像を重ねて表示させ、
前記第２表示制御手段は、さらに、
表示位置が変化せず、かつ第１基本画像を一部に含む第２基本画像に、前記第２画像を重ねて表示させ、
前記第２表示制御手段は、
第２基本画像に対する第２画像の相対位置を、第１基本画像に対する第１画像の相対位置と一致させること
を特徴とする請求項１に記載の携帯端末装置。
【請求項８】
開状態、及び閉状態の２つの状態を有する携帯端末装置を制御する制御プログラムであって、
前記携帯端末装置は、
少なくとも閉状態において、外部から見える位置に配置されている第１表示部と、
閉状態において外部から見えず、開状態において外部から見える位置に配置されている第２表示部とを備え、
制御プログラムは、携帯端末装置に、
閉状態において、第１表示部に、表示位置が時間とともに変化する第１画像を表示させる第１表示制御ステップと、
第１表示制御ステップによる第１画像の表示中に、閉状態から開状態へ状態が変化したことを感知する感知ステップと、
感知ステップにより状態が変化したことが感知されたときの第１画像の表示位置を示す位置情報を取得する取得ステップと、
開状態において、第２表示部に、第１画像に対応する第２画像を、取得ステップにより取得された位置情報に基づいて表示させる第２表示制御ステップと
を実行させることを特徴とする制御プログラム。
【請求項９】
開状態、及び閉状態の２つの状態を有する携帯端末装置を制御する制御方法であって、
前記携帯端末装置は、
少なくとも閉状態において、外部から見える位置に配置されている第１表示部と、
閉状態において外部から見えず、開状態において外部から見える位置に配置されている第２表示部とを備え、
制御方法は、
閉状態において、第１表示部に、表示位置が時間とともに変化する第１画像を表示させる第１表示制御ステップと、
第１表示制御ステップによる第１画像の表示中に、閉状態から開状態へ状態が変化したことを感知する感知ステップと、
感知ステップにより状態が変化したことが感知されたときの第１画像の表示位置を示す位置情報を取得する取得ステップと、
開状態において、第２表示部に、第１画像に対応する第２画像を、取得ステップにより取得された位置情報に基づいて表示させる第２表示制御ステップと
を含むことを特徴とする制御方法。
【発明の詳細な説明】
【技術分野】
【０００１】
本発明は、携帯電話機等の携帯端末装置に関し、特に、ＬＣＤ等の表示部を複数備える携帯端末装置において、画像の表示を表示部間で効果的に切り換えるための技術に関する。
【背景技術】
【０００２】
近年、ＬＣＤ等の表示部を備え、インターネット接続機能や、ＴＶ放送受信機能等を備えた携帯電話機の普及が進んでおり、このような携帯電話機では外部からコンテンツを入手して表示部に画像を表示する事ができる。
また、表示部を複数備える携帯電話機も多く、各表示部の機能や状況に応じて表示部を使い分けている。
【０００３】
例えば、表示領域が小さいサブＬＣＤには発信者電話番号や現在時間等の文字のみを表示し、表示領域が大きいメインＬＣＤには主に動画像やインターネットのホームページ等の画像を表示する。
また例えば、折り畳み式の携帯電話機において、折り畳むと使用者から見えない位置にメインＬＣＤを搭載し、折り畳んでも使用者から見える位置にサブＬＣＤを搭載し、折り畳まれている状態ではサブＬＣＤに画像を表示し、開いた状態ではメインＬＣＤに画像を表示する。
【０００４】
上記のような従来の折り畳み式の携帯電話機において、折り畳んだ状態から開いた状態に変化させるとき、状態が変化する前にサブＬＣＤに表示されていた画像と、変化した後にメインＬＣＤに表示される画像とは、同一、あるいは類似している場合が多いものと思われる。これはただ単に、携帯電話機の状態の変化に伴って、必然的にサブＬＣＤからメインＬＣＤへ表示を切り換えただけの事であり、利便性はあるが特に面白みはない。
【０００５】
２つの表示部を使い分ける携帯電話機が、特許文献１に開示されている。
【特許文献１】特開２００１−１３６２４７号公報
【発明の開示】
【発明が解決しようとする課題】
【０００６】
メインＬＣＤとサブＬＣＤとは、当然ながら異なる位置に配置された別の表示デバイスであり、価格面、重量面で不利になる事を承知の上でわざわざ２つもの表示デバイスを装備しているのは、少しでも顧客の購買意欲を高めて販売台数を延ばすためであると思われるが、だからこそ、２つの表示デバイスをより有効に、効果的に使わなければならない筈である。
【０００７】
しかしながら、上記のように、ただ単に携帯電話機の状態に合わせて表示部を切り換えるだけでは、特に何の面白みもなく、複数の表示デバイスを効果的に使っているとは言い難い。
そこで本発明は、複数の表示部を効果的に使って、従来よりも面白みのある表示ができる携帯端末装置、その制御プログラム、及びその制御方法を提供することを目的とする。
【課題を解決するための手段】
【０００８】
上記目的を達成するために、本発明に係る携帯端末装置は、開状態及び閉状態の２つの状態を有する携帯端末装置であって、少なくとも閉状態において外部から見える位置に配置されている第１表示部と、閉状態において外部から見えず開状態において外部から見える位置に配置されている第２表示部と、閉状態において第１表示部に表示位置が時間とともに変化する第１画像を表示させる第１表示制御手段と、第１表示制御手段による第１画像の表示中に閉状態から開状態へ状態が変化したことを感知する感知手段と、感知手段により状態が変化したことが感知されたときの第１画像の表示位置を示す位置情報を取得する取得手段と、開状態において第２表示部に第１画像に対応する第２画像を取得手段により取得された位置情報に基づいて表示させる第２表示制御手段とを備えることを特徴とする。
【０００９】
上記目的を達成するために、本発明に係る制御プログラムは、開状態及び閉状態の２つの状態を有する携帯端末装置を制御する制御プログラムであって、前記携帯端末装置は、少なくとも閉状態において外部から見える位置に配置されている第１表示部と、閉状態において外部から見えず開状態において外部から見える位置に配置されている第２表示部とを備え、制御プログラムは、携帯端末装置に、閉状態において第１表示部に表示位置が時間とともに変化する第１画像を表示させる第１表示制御ステップと、第１表示制御ステップによる第１画像の表示中に閉状態から開状態へ状態が変化したことを感知する感知ステップと、感知ステップにより状態が変化したことが感知されたときの第１画像の表示位置を示す位置情報を取得する取得ステップと、開状態において第２表示部に、第１画像に対応する第２画像を取得ステップにより取得された位置情報に基づいて表示させる第２表示制御ステップとを実行させることを特徴とする。
【００１０】
上記目的を達成するために、本発明に係る制御方法は、開状態及び閉状態の２つの状態を有する携帯端末装置を制御する制御方法であって、前記携帯端末装置は、少なくとも閉状態において外部から見える位置に配置されている第１表示部と、閉状態において外部から見えず開状態において外部から見える位置に配置されている第２表示部とを備え、制御方法は、閉状態において、第１表示部に表示位置が時間とともに変化する第１画像を表示させる第１表示制御ステップと、第１表示制御ステップによる第１画像の表示中に閉状態から開状態へ状態が変化したことを感知する感知ステップと、感知ステップにより状態が変化したことが感知されたときの第１画像の表示位置を示す位置情報を取得する取得ステップと、開状態において第２表示部に第１画像に対応する第２画像を、取得ステップにより取得された位置情報に基づいて表示させる第２表示制御ステップとを含むことを特徴とする。
【発明の効果】
【００１１】
課題を解決するための手段に記載した各構成により、開状態になると、第１表示部に表示されていた第１画像の表示位置に応じて、第２表示部に表示される第２画像の表示位置が決まるので、複数の表示部を効果的に利用して、コンテンツ等を面白く表示することができ、コンテンツ等の表現の幅を広げて顧客の購買意欲を高めることができる。
携帯端末装置において、前記第２表示部は、第１表示部の裏側にあたる位置に配置されており、前記第２表示制御手段は、前記第２画像を開状態における第１画像の表示位置の裏側に相当する位置に表示させることを特徴とすることもできる。
【００１２】
これにより、第１表示部と第２表示部とが背中合わせに配置され、第２画像を、開状態における第１画像の表示位置の裏側に相当する位置に表示させることができるので、あたかも同一物を表と裏から眺めているような感覚を利用者に与えることができ、面白い。
携帯端末装置において、第１画像は、特定物を表から見た画像であり、第２画像は、前記特定物を裏から見た画像であることを特徴とすることもできる。
【００１３】
これにより、第１表示部に表示する画像を特定物を表から見た画像にし、第２表示部に表示する画像を特定物を裏から見た画像にすることができるので、より面白い。
携帯端末装置において、前記第１表示制御手段は、さらに、表示位置が変化しない第１基本画像に前記第１画像を重ねて表示させ、前記第２表示制御手段は、さらに、表示位置が変化せずかつ第１基本画像に対応する第２基本画像に前記第２画像を重ねて表示させることを特徴とすることもできる。
【００１４】
これにより、表示位置が変化しない第１基本画像に第１画像を重ねて表示させ、表示位置が変化せずかつ第１基本画像に対応する第２基本画像に第２画像を重ねて表示させることができるので、背景画像にも関連性を持たせることができ、表現の幅を広げることができる。
携帯端末装置において、第１基本画像は、特定物を表から見た画像であり、第２基本画像は、前記特定物を裏から見た画像であることを特徴とすることもできる。
【００１５】
これにより、第１表示部に表示する背景画像を特定物を表から見た画像にし、第２表示部に表示する背景画像を特定物を裏から見た画像にすることができるので、より面白い。
携帯端末装置において、前記第２表示部は、第１表示部の裏側にあたる位置に配置されており、前記第２表示制御手段は、前記第２画像を開状態における第１画像の表示位置の裏側に相当する位置から変化させることを特徴とすることもできる。
【００１６】
これにより、第２画像を、開状態における第１画像の表示位置の裏側に相当する位置から変化させることができるので、あたかも同一物に変化が起こっているような感覚を利用者に与えることができ、面白い。
携帯端末装置において、前記第２表示部は、第１表示部よりも表示面積が小さくかつ第１表示部の裏側にあたる位置に配置されており、前記第１表示制御手段は、さらに、表示位置が変化しない第１基本画像に前記第１画像を重ねて表示させ、前記第２表示制御手段は、さらに、表示位置が変化せずかつ第１基本画像を一部に含む第２基本画像に、前記第２画像を重ねて表示させ、前記第２表示制御手段は、第２基本画像に対する第２画像の相対位置を第１基本画像に対する第１画像の相対位置と一致させることを特徴とすることもできる。
【００１７】
これにより、第１表示部の画面表示サイズが小さい場合において、画像を縮小することなく画像の一部を第１表示部に表示し、画像の全体を第２表示部に表示することができるので、画面表示サイズの制約を解消しつつ、コンテンツ等を面白く表示することができる。
【発明を実施するための最良の形態】
【００１８】
（実施の形態１）
本発明の実施の形態１は、複数の表示部を備える携帯電話機において、フリップを開く直前にサブＬＣＤに表示されていた所定の画像の表示位置を取得し、当該表示位置に基づいて、メインＬＣＤに表示する他の画像の表示位置を決めるものであり、特に、サブＬＣＤとメインＬＣＤとが、ほぼ同一の表示面積を持ち、背中合わせに配置されている場合において、当該所定の画像の裏側にあたる位置に当該他の画像を表示する。
【００１９】
＜構成＞
図１（ａ）、（ｂ）は、本発明の実施の形態１における携帯端末装置１０の外観を示す図である。
ここで図１（ａ）は、フリップを開けて開いた状態の携帯端末装置１０を、図１（ｂ）はフリップを閉じて折り畳んだ状態の携帯端末装置１０を示す。
【００２０】
図２は、本発明の実施の形態１における携帯端末装置１０の概略構成を示す図である。
本実施の形態１の携帯端末装置１０は、例えば、フリップ等による開閉機能を有する携帯電話機であって、図１、２に示すように、操作部１１、開閉部１２、第１表示部１３、第２表示部１４、第１表示制御部１５、感知部１６、取得部１７、第２表示制御部１８、及び画像データ記憶部１９を備える。
【００２１】
操作部１１は、テンキー等の操作ボタンであって、使用者の操作や使用者からの入力等を受け付ける。
開閉部１２は、例えばフリップによる開閉機能を有する部分であり、フリップを閉じると、第２表示部４と操作部１とが、内側に隠されて使用者から見えなくなる。
第１表示部１３は、例えばサブＬＣＤであり、フリップの開閉状態に関係なく使用者から見える位置に配置されている。
【００２２】
第２表示部１４は、例えばメインＬＣＤであり、フリップを閉じると使用者から見えない位置に配置されている。
ここで第２表示部１４は、第１表示部１３の裏側にあたる位置に配置されているものとする。
また実施の形態１では、第１表示部１３と第２表示部１４とは、画面サイズが同じか、又は、ほぼ同等であるものとする。
【００２３】
第１表示制御部１５は、例えばプロセッサを含む制御回路と制御ソフトウェア等により実現され、第１表示部１３に表示させる画像を制御する。ここでは、フリップが閉じた状態において、表示位置が変化しない第１基本画像に対して、表示位置が時間とともに変化する第１画像を重ねて、第１表示部１３に表示させるものとする。ここで例えば、第１基本画像は特定物を表から見た画像である。
【００２４】
図３は、第１表示部１３に表示される画像の具体例を示す図である。
図３に示すように、第１表示制御部１５は、着信があったときに、玄関ドアを家の外から見た画像を第１基本画像１とし、ドアが外から叩かれていることをイメージする画像を第１画像２として、これら２つの画像を重ねて第１表示部１３に表示させ、第１画像２の表示位置を時間とともに変化させる。
【００２５】
感知部１６は、例えば、フリップが閉じた時に自動的に押されるボタンスイッチ等であり、フリップが開いているのか閉じているのかを感知する。ここでは、少なくとも、第１表示制御手段により画像が表示されている時に、フリップが開いたことを感知する。
取得部１７は、感知部６によりフリップが開いたことが感知されたときの第１画像の表示位置を示す位置情報を取得する。ここでは、例えばドアが外から叩かれていることをイメージする画像の位置情報（Ｘ１，Ｙ１）＝（３００，２００）を取得する。
【００２６】
なお、第１表示部１３における位置情報の設定範囲は、（０，０）〜（９９９，９９９）とする。
第２表示制御部１８は、例えばプロセッサを含む制御回路と制御ソフトウェア等により実現され、第２表示部１４に表示させる画像を制御する。ここでは、フリップが開いた状態において、表示位置が変化せずかつ第１基本画像に対応する第２基本画像に対して、第１画像に対応する第２画像を重ねて、第２表示部１４に表示させ、第２画像については取得部１７により取得された位置情報に基づいて表示させるものとする。ここで第２表示制御部１８は、第２画像を、フリップが開いた状態における第１画像の表示位置の裏側に相当する位置に表示させる。ここで例えば、第２基本画像は第１基本画像と同じ特定物を裏から見た画像である。
【００２７】
なお、第１画像を特定物を裏から見た画像とし、第２画像を第１画像と同じ特定物を裏から見た画像としてもよい。
図４は、第２表示部１４に表示される画像の具体例を示す図である。
図４に示すように、玄関ドアを家の中から見た画像が第２基本画像３であり、玄関ドアが壊れている画像が第２画像４であり、第２画像４の表示位置は、第１画像２の表示位置（Ｘ１，Ｙ１）＝（３００，２００）の裏側に相当する位置（Ｘ２、Ｙ２）＝（９９９−Ｘ１，Ｙ１）＝（６９９，２００）となる。ここではさらに、第２画像４の崩れたところから、発信者電話番号を用いて検索した発信者の顔の画像を垣間見せ、時間の経過に伴い、崩れた範囲を広げていくものとする。
【００２８】
なお、第２表示部１４における位置情報の設定範囲は、（０，０）〜（９９９，９９９）とする。
画像データ記憶部１９は、第１基本画像、第１画像、第２基本画像、第２画像、及び発信者電話番号に対応付けられた発信者の顔の画像等のデータを記憶している。
＜動作例＞
図５は、本発明の実施の形態１の携帯端末装置１０において、フリップが開いたときにサブＬＣＤからメインＬＣＤへ画像の表示を切り換える動作の手順を示す図である。
【００２９】
以下に、図５を用いて、フリップが開いたときにサブＬＣＤからメインＬＣＤへ画像の表示を切り換える動作の手順を説明する。
（１）フリップが閉じた状態において、着信があるまで待機する（ステップＳ１）。
（２）着信があると、図３に示すように、第１表示制御部１５が、第１基本画像１に対して、乱数等を用いて生成した適当な位置に第１画像２を重ねて、第１表示部１３に表示させる（ステップＳ２）。
【００３０】
（３）感知部１６が、フリップが開いたことを感知するまで待つ（ステップＳ３）。
（４）フリップが閉じている間は、第１表示制御部１５が、第１画像２の表示位置を、乱数等を用いて適当に変化させる（ステップＳ４）。
（５）フリップが開いたことが感知されると、取得部１７が、第１画像２の表示位置を示す位置情報を取得する（ステップＳ５）。ここでは位置情報（Ｘ１，Ｙ１）＝（３００，２００）を取得することとする。
【００３１】
（６）第２表示制御部１８が、発信者電話番号を電話回線を介して取得し、当該発信者電話番号に基づいて、画像データ記憶部１９から、予め登録された発信者の顔の画像を抽出する（ステップＳ６）。
（７）図４に示すように、第２表示制御部１８が、第１基本画像１に対応する第２基本画像３に対して、第１画像２に対応する第２画像４を、第１画像２の裏側にあたる位置に重ねて、第２表示部１４に表示させる（ステップＳ７）。ここでは、第１画像２の表示位置（Ｘ１，Ｙ１）＝（３００，２００）の裏側に相当する第２画像４の表示位置は、（Ｘ２、Ｙ２）＝（９９９−Ｘ１，Ｙ１）＝（６９９，２００）であり、第２表示部１４に表示した第２画像４の崩れたところから、発信者の顔の画像を垣間見せる。
【００３２】
（８）利用者が電話をとるまで待つ（ステップＳ８）。
（９）第２表示制御部１８が、時間の経過に伴い、第２表示部１４に表示した第２画像４の崩れる範囲を広げていく（ステップＳ９）。ここでは崩れた度合いの違う画像を複数用意しておき、１秒毎により崩れた画像に置き換えていく。
（１０）利用者が電話をとると、第２表示制御部１８が、ドアが開いた画像と、発信者の顔の全体の画像とを重ねて表示する（ステップＳ１０）。
（実施の形態２）
本発明の実施の形態２は、複数の表示部を備える携帯電話機において、フリップを開く直前にサブＬＣＤに表示されていた所定の画像の表示位置を取得し、当該表示位置に基づいて、メインＬＣＤに表示する他の画像の表示位置を決めるものであり、特に、サブＬＣＤはメインＬＣＤより表示面積が小さく、かつサブＬＣＤとメインＬＣＤとが背中合わせに配置されている場合において、サブＬＣＤに、メインＬＣＤに表示する背景画像を縮小拡大しないで一部分を表示し、当該所定の画像の背景画像における相対位置と、当該他の画像の背景画像における相対位置とを一致させる。
【００３３】
＜構成＞
図６（ａ）、（ｂ）は、本発明の実施の形態２における携帯端末装置２０の外観を示す図である。
ここで図６（ａ）は、フリップを開けて開いた状態の携帯端末装置２０を、図６（ｂ）はフリップを閉じて折り畳んだ状態の携帯端末装置２０を示す。
【００３４】
ここで図６に示した実施の形態２における携帯端末装置２０と、図１に示した実施の形態１における携帯端末装置１０との外観上の相違点は、第１表示部が小さい点のみである。
図７は、本発明の実施の形態２における携帯端末装置の概略構成を示す図である。
本実施の形態２の携帯端末装置は、例えば、フリップ等による開閉機能を有する携帯電話機であって、図６、７に示すように、操作部１１、開閉部１２、第１表示部２１、第２表示部２２、第１表示制御部２３、感知部１６、取得部２４、第２表示制御部２５、及びメール受信部２６を備える。
【００３５】
なお、実施の形態１と同様の構成要素には同一番号を付し、その説明を省略する。
第１表示部２１は、第１表示部１３と同様に、例えばサブＬＣＤであり、フリップの開閉状態に関係なく使用者から見える位置に配置されている。
第２表示部２２は、例えばメインＬＣＤであり、フリップを閉じると使用者から見えない位置に配置されている。
【００３６】
ここで第２表示部２２は、第１表示部２１の裏側にあたる位置に配置されているものとする。
また実施の形態２では、第１表示部２１の画面サイズは、縦横とも第２表示部２２のほぼ半分であり、面積がほぼ１／４であるものとする。
第１表示制御部２３は、例えばプロセッサを含む制御回路と制御ソフトウェア等により実現され、第１表示部２１に表示させる画像を制御する。ここでは、フリップが閉じた状態において、表示位置が変化しない第１基本画像に対して、表示位置が変化する第１画像を重ねて、第１表示部２１に表示させるものとする。ここで例えば、第１基本画像は特定物の一部分の画像である。
【００３７】
図８は、第１表示部２１の表示される画像の具体例を示す図である。
図８に示すように、第１表示制御部２３は、占いメールを受信したとき、又は利用者が本体横のボタンを押したとき等に、占い用のルーレットの中央部分を第１基本画像５とし、部分的に表示されたルーレット上の玉の画像を第１画像６として、これら２つの画像を重ねて第１表示部２１に表示させる。
【００３８】
ここで、占いメールとは、占い専用のメールであり、本文中に占い用であることを示すＩＤが記載され、占いの動作に必要な画像データが添付ファイルの形で添付されているものとする。
取得部２４は、感知部６によりフリップが開いたことが感知されたときに、第１画像の表示位置を示す位置情報を取得する。ここでは、玉の画像の位置情報（Ｘ３．Ｙ３）＝（４５０，３００）を取得する。
【００３９】
なお、第１表示部２１における位置情報の設定範囲は、（０，０）〜（４９９，４９９）とする。
第２表示制御部２５は、例えばプロセッサを含む制御回路と制御ソフトウェア等により実現され、第２表示部２２に表示させる画像を制御する。ここでは、フリップが開いた状態において、表示位置が変化せずかつ第１基本画像に対応する第２基本画像に対して、第１画像に対応する第２画像を重ねて、第２表示部２２に表示させ、第２画像については取得部２４により取得された位置情報に基づいて表示させるものとする。ここで、第２表示制御部２５は、フリップが閉じた状態における第２基本画像に対する第２画像の相対位置を、フリップが開いた状態における第１基本画像に対する第１画像の相対位置と一致させる。ここで例えば、第２基本画像は第１基本画像を一部に含む第１基本画像と同じ特定物の全体の画像である。
【００４０】
図９は、第２表示部２２に表示される画像の具体例を示す図である。
図９に示すように、占い用のルーレットの全体図が第２基本画像７であり、ルーレットの全体図上に玉の画像が第２画像８であり、第２画像８の表示位置（Ｘ４，Ｙ４）は、取得部２４により取得された位置情報のＸ座標とＹ座標の両方にオフセット値２５０を加算して求めることができ、（Ｘ４，Ｙ４）＝（Ｘ３＋２５０，Ｙ３＋２５０）＝（７００，５５０）となり、またルーレットの外周部分には、占い結果が記載されている。
【００４１】
なお、第２表示部２２における位置情報の設定範囲は、（０，０）〜（９９９，９９９）とする。
メール受信部２６は、占いメールを受信して、占いメールに添付された第１基本画像、第１画像、第２基本画像、及び第２画像等のデータを保持する。
＜動作例＞
図１０は、本発明の実施の形態２の携帯端末装置２０において、フリップが開いたときにサブＬＣＤからメインＬＣＤへ画像の表示を切り換える動作の手順を示す図である。
【００４２】
以下に、図１０を用いて、フリップが開いたときにサブＬＣＤからメインＬＣＤへ画像の表示を切り換える動作の手順を説明する。
（１）フリップが閉じた状態において、占いメールを受信するまで待機する（ステップＳ１１）。
（２）占いメールを受信すると、図８に示すように、第１表示制御部２３が、第１基本画像５に対して第１画像６を重ねて、第１表示部２１に表示させる（ステップＳ１２）。ここで、第１画像６の表示位置は予め定めたスタート位置とする。
【００４３】
（３）フリップが閉じている間に、第１表示制御部２３が、第１画像６の表示位置を連続的に変化させ、次第に減速させて停止させ、第１画像６を点滅させる（ステップＳ１３）。
（４）感知部６が、フリップが開いたことを感知するまで待つ（ステップＳ１４）。
（５）フリップが開いたことが感知されると、取得部２４が、第１画像６の表示位置を示す位置情報を取得する（ステップＳ１５）。ここでは位置情報（Ｘ３，Ｙ３）＝（４５０，３００）を取得することとする。
【００４４】
（６）図９に示すように、第２表示制御部２５が、第１基本画像５に対応する第２基本画像７に対して、第１画像６に対応する第２画像８を、第１画像６の中心部分に相当する位置に重ねて、第２表示部２２に表示させる（ステップＳ１６）。ここでは、第１画像６に相当する第２画像８の表示位置（Ｘ４，Ｙ４）は、取得した位置情報のＸ座標とＹ座標の両方にオフセット値２５０を加算して求めることができるので、（Ｘ４，Ｙ４）＝（Ｘ３＋２５０，Ｙ３＋２５０）＝（７００，５５０）となる。
【００４５】
＜まとめ＞
以上のように、本発明の実施の形態１，２によれば、フリップが開くと、第１表示部に表示されていた第１画像の表示位置に応じて、第２表示部に表示される第２画像の表示位置を決め、第２表示部に第２画像を画像を表示することができるので、複数の表示部を有効に利用して、コンテンツを面白く表示することができ、コンテンツの表現の幅を広げることができる。
【産業上の利用可能性】
【００４６】
本発明は、複数の表示部を有する携帯電話機などのあらゆる携帯端末装置に用いることができる。本発明によって、臨場感のあるコンテンツの表現方法が実現でき、顧客の購買意欲を高めて販売台数を延ばすことができ、携帯端末装置の普及率の向上に寄与することができる。
また、携帯型の機器に限らず、複数の表示部を有するあらゆる機器に適用することができる。
【図面の簡単な説明】
【００４７】
【図１】図１（ａ）、（ｂ）は、本発明の実施の形態１における携帯端末装置１０の外観を示す図である。
【図２】本発明の実施の形態１における携帯端末装置１０の概略構成を示す図である。
【図３】第１表示部１３に表示される画像の具体例を示す図である。
【図４】第２表示部１４に表示される画像の具体例を示す図である。
【図５】本発明の実施の形態１の携帯端末装置１０において、フリップが開いたときにサブＬＣＤからメインＬＣＤへ画像の表示を切り換える動作の手順を示す図である。
【図６】図６（ａ）、（ｂ）は、本発明の実施の形態２における携帯端末装置２０の外観を示す図である。
【図７】本発明の実施の形態２における携帯端末装置の概略構成を示す図である。
【図８】第１表示部２１の表示される画像の具体例を示す図である。
【図９】第２表示部２２に表示される画像の具体例を示す図である。
【図１０】本発明の実施の形態２の携帯端末装置２０において、フリップが開いたときにサブＬＣＤからメインＬＣＤへ画像の表示を切り換える動作の手順を示す図である。
【符号の説明】
【００４８】
１０    携帯端末装置
１１    操作部
１２    開閉部
１３    第１表示部
１４    第２表示部
１５    第１表示制御部
１６    感知部
１７    取得部
１８    第２表示制御部
１９    画像データ記憶部
２０    携帯端末装置
２１    第１表示部
２２    第２表示部
２３    第１表示制御部
２４    取得部
２５    第２表示制御部
２６    メール受信部
【図１】
2005253016.tif 000003
【図２】
2005253016.tif 000004
【図３】
2005253016.tif 000005
【図４】
2005253016.tif 000006
【図５】
2005253016.tif 000007
【図６】
2005253016.tif 000008
【図７】
2005253016.tif 000009
【図８】
2005253016.tif 000010
【図９】
2005253016.tif 000011
【図１０】
2005253016.tif 000012